(57)【特許請求の範囲】
【請求項１】
第１部品（１）と第２部品（２）との間を少なくとも４本のリード線（３）により接続する電気配線構造であって、
前記第１部品（１）は前記リード線（３）が挿入される第１挿入部（１５）を備え、前記第１挿入部（１５）は２行ｊ列に配置され、
前記第２部品（２）は前記リード線（３）が挿入される第２挿入部（２１）を備え、前記第２挿入部（２１）は２行ｊ列に配置され、
各列毎の一対の前記リード線（３）は、中間部で交差して前記第１挿入部（１５）および前記第２挿入部（２１）に挿入されていることを特徴とする電気配線構造。
【請求項２】
前記リード線（３）は全て同じ長さであることを特徴とする請求項１に記載の電気配線構造。
【請求項３】
第１部品（１）と第２部品（２）との間を少なくとも６本のリード線（３）により接続する電気配線構造であって、
前記第１部品（１）は前記リード線（３）が挿入される第１挿入部（１５）を備え、前記第１挿入部（１５）は３行ｊ列に配置され、
前記第２部品（２）は前記リード線（３）が挿入される第２挿入部（２１）を備え、前記第２挿入部（２１）は３行ｊ列に配置され、
各列毎の３本の前記リード線（３）のうち、前記第１挿入部（１５）の２行目に挿入されたリード線（３）は前記第２挿入部（２１）の２行目に挿入され、前記第１挿入部（１５）の１行目に挿入されたリード線（３）と前記第１挿入部（１５）の３行目に挿入されたリード線（３）は、中間部で交差して前記第２挿入部（２１）に挿入されていることを特徴とする電気配線構造。
【請求項４】
各列毎の３本の前記リード線（３）のうち、前記第１挿入部（１５）の１行目に挿入されたリード線（３）と前記第１挿入部（１５）の３行目に挿入されたリード線（３）は、同じ長さであるとともに、前記第１挿入部（１５）の２行目に挿入されたリード線（３）よりも長いことを特徴とする請求項３に記載の電気配線構造。
【請求項５】
前記第１部品（１）は、内燃機関に燃料を噴射するインジェクタであり、前記第２部品（２）は、コネクタであることを特徴とする請求項１ないし４のいずれか１つに記載の電気配線構造。
【発明の詳細な説明】
【技術分野】
【０００１】
本発明は、２つの部品間を複数のリード線により接続する電気配線構造に関するものである。
【背景技術】
【０００２】
内燃機関に燃料を噴射するインジェクタとして、内燃機関に噴射される燃料の圧力を検出する圧力センサを、インジェクタのボデー内に配置するものが提案されている。また、インジェクタのボデーに一体にコネクタが設けられ、コネクタのターミナルと圧力センサが電気的に接続されている（例えば、特許文献１参照）。
【先行技術文献】
【特許文献】
【０００３】
【特許文献１】特開２０１０−２４２５７４号公報
【発明の概要】
【発明が解決しようとする課題】
【０００４】
ところで、本発明者らは、上記したインジェクタのボデーに一体のコネクタを廃止し、圧力センサに電気的に接続したリード線をインジェクタのボデーから取り出した後、インジェクタのボデーとは列体のコネクタのターミナルにリード線を電気的に接続する構成のインジェクタを検討した。
【０００５】
図７は、インジェクタ１のボデーとは列体のコネクタ２を使用するインジェクタ１の検討案であり、インジェクタ１とコネクタ２が６本のリード線３により接続されている。
【０００６】
しかしながら、このインジェクタ１の構成では、例えば図８に示すようにリード線３を曲げて使いたい場合に、一方のリード線は他方のリード線に比べて曲げＲが著しく小さくなるため、リード線３を曲げにくいという問題があった。特に、電流量大等により線径の太いリード線３を使用する場合に、この問題が顕著になる。
【０００７】
また、一方のリード線の復元力と他方のリード線の復元力とが大幅に異なるため、すなわち、復元力のバランスが悪いため、インジェクタ１を内燃機関に搭載後にリード線３の曲げ方向をそのまま維持したくても、リード線３が捩れてしまうという問題があった。
【０００８】
本発明は上記点に鑑みて、２つの部品間を複数のリード線により接続する電気配線構造において、リード線を曲げ易くすることを目的とする。
【課題を解決するための手段】
【０００９】
上記目的を達成するため、請求項１に記載の発明では、第１部品（１）と第２部品（２）との間を少なくとも４本のリード線（３）により接続する電気配線構造であって、第１部品（１）はリード線（３）が挿入される第１挿入部（１５）を備え、第１挿入部（１５）は２行ｊ列に配置され、第２部品（２）はリード線（３）が挿入される第２挿入部（２１）を備え、第２挿入部（２１）は２行ｊ列に配置され、各列毎の一対のリード線（３）は、中間部で交差して第１挿入部（１５）および第２挿入部（２１）に挿入されていることを特徴とする。
【００１０】
これによると、各列毎の一対のリード線（３）の交差方向にリード線（３）を曲げた場合に、一対のリード線（３）の曲げＲがほぼ等しくなり、しかもその曲げＲは比較的大きくなるため、リード線（３）を容易に曲げることができる。
【００１１】
また、一対のリード線（３）の復元力がほぼ等しくなるため、すなわち、復元力のバランスがよくなるため、リード線（３）の捩れが発生しにくく、リード線（３）の曲げ方向を維持し易くなる。
【００１２】
請求項３に記載の発明では、第１部品（１）と第２部品（２）との間を少なくとも６本のリード線（３）により接続する電気配線構造であって、第１部品（１）はリード線（３）が挿入される第１挿入部（１５）を備え、第１挿入部（１５）は３行ｊ列に配置され、第２部品（２）はリード線（３）が挿入される第２挿入部（２１）を備え、第２挿入部（２１）は３行ｊ列に配置され、各列毎の３本のリード線（３）のうち、第１挿入部（１５）の２行目に挿入されたリード線（３）は第２挿入部（２１）の２行目に挿入され、第１挿入部（１５）の１行目に挿入されたリード線（３）と第１挿入部（１５）の３行目に挿入されたリード線（３）は、中間部で交差して第２挿入部（２１）に挿入されていることを特徴とする。
【００１３】
これによると、各列毎の３本のリード線（３）のうち第１挿入部（１５）の１行目に挿入されたリード線（３）と第１挿入部（１５）の３行目に挿入されたリード線（３）の交差方向にリード線（３）を曲げた場合に、３本のリード線（３）の曲げＲがほぼ等しく、しかもその曲げＲは比較的大きくなるため、リード線（３）を容易に曲げることができる。
【００１４】
また、各列毎の３本のリード線（３）の復元力がほぼ等しくなるため、すなわち、復元力のバランスがよくなるため、リード線（３）の捩れが発生しにくく、リード線（３）の曲げ方向を維持し易くなる。
【００１５】
なお、この欄および特許請求の範囲で記載した各手段の括弧内の符号は、後述する実施形態に記載の具体的手段との対応関係を示すものである。
【図面の簡単な説明】
【００１６】
【図１】（ａ）は本発明の第１実施形態に係る電気配線構造を採用したインジェクタの正面図、（ｂ）は（ａ）の左側面図である。
【図２】（ａ）は図１のインジェクタにおける第１挿入部の配置を示す模式的な図、（ｂ）は図１のコネクタにおける第２挿入部の配置を示す模式的な図である。
【図３】図１のインジェクタの使用状態を示す正面図である。
【図４】本発明の第２実施形態に係る電気配線構造を採用したインジェクタの図である。
【図５】（ａ）は図４のインジェクタにおける第１挿入部の配置を示す模式的な図、（ｂ）は図４のコネクタにおける第２挿入部の配置を示す模式的な図である。
【図６】図４のインジェクタの使用状態を示す正面図である。
【図７】（ａ）はインジェクタの検討案を示す正面図、（ｂ）は（ａ）の左側面図である。
【図８】図７のインジェクタの使用状態を示す正面図である。
【発明を実施するための形態】
【００１７】
以下、本発明の実施形態について図に基づいて説明する。なお、以下の各実施形態相互において、互いに同一もしくは均等である部分には、図中、同一符号を付してある。
【００１８】
（第１実施形態）
本発明の第１実施形態について説明する。図１（ａ）は第１実施形態に係る電気配線構造を採用したインジェクタの正面図、図１（ｂ）は図１（ａ）の右側面図、図２（ａ）は図１のインジェクタにおける第１挿入部の配置を示す模式的な図、図２（ｂ）は図１のコネクタにおける第２挿入部の配置を示す模式的な図、図３は図１のインジェクタの使用状態を示す正面図である。なお、図２（ａ）および図２（ｂ）は、いずれも図１（ａ）の紙面上方から見た図（すなわち、平面図）である。
【００１９】
図１に示すように、第１部品としてのインジェクタ１は、ロアボデー１１を備えており、このロアボデー１１には、コモンレール（図示せず）から供給される高圧燃料が流通する高圧通路が形成されている。その高圧燃料は、ロアボデー１１の下端に装着されたノズル１２からディーゼル内燃機関（図示せず）の気筒内に噴射される。
【００２０】
ロアボデー１１の上端には、円筒状のアッパーボデー１３が螺合されており、このアッパーボデー１３内の空間には、高圧通路の燃料圧力を検出する圧力センサ（図示せず）が配置されている。
【００２１】
第２部品としてのコネクタ２は、インジェクタ１とは別体に設けられている。そして、インジェクタ１の圧力センサとコネクタ２のターミナルは、６本のリード線３にて電気的に接続されている。この６本のリード線３は、長さが全て等しくなっている。なお、本明細書における「リード線３の長さ」は、インジェクタ１およびコネクタ２から露出している部位の長さである。また、図１中、６本のリード線３を個々にＲ１〜Ｒ６で表している。
【００２２】
図２（ａ）に示すように、インジェクタ１は、リード線３が挿入される６個の第１挿入部１５を備え、この第１挿入部１５は２行３列に配置されている。なお、図２（ａ）中、６個の第１挿入部１５を個々にＩｉｊで表し、ｉは行番号、ｊは列番号を表す。
【００２３】
図２（ｂ）に示すように、コネクタ２は、リード線３が挿入される６個の第２挿入部２１を備え、この第２挿入部２１は２行３列に配置されている。なお、図２（ｂ）中、６個の第２挿入部２１を個々にＣｉｊで表し、ｉは行番号、ｊは列番号を表す。
【００２４】
因みに、リード線３は、その一端側が第１挿入部１５を通ってインジェクタ１内に侵入して圧力センサと電気的に接続される。また、リード線３は、その他端側が第２挿入部２１を通ってコネクタ２内に侵入してターミナルと電気的に接続される。
【００２５】
図１、図２において、６本のリード線３は各列毎に２本ずつ配置される。そして、１列目に配置される第１リード線Ｒ１は、その一端側が１行１列目の第１挿入部Ｉ１１に挿入され、他端側が２行１列目の第２挿入部Ｃ２１に挿入されている。また、１列目に配置される第２リード線Ｒ２は、その一端側が２行１列目の第１挿入部Ｉ２１に挿入され、他端側が１行１列目の第２挿入部Ｃ１１に挿入されている。これにより、１列目の一対のリード線Ｒ１、Ｒ２は、中間部で交差する（図１（ａ）参照）。
【００２６】
２列目に配置される第３リード線Ｒ３は、その一端側が１行２列目の第１挿入部Ｉ１２に挿入され、他端側が２行２列目の第２挿入部Ｃ２２に挿入されている。また、２列目に配置される第４リード線Ｒ４は、その一端側が２行２列目の第１挿入部Ｉ２２に挿入され、他端側が１行２列目の第２挿入部Ｃ１２に挿入されている。これにより、２列目の一対のリード線Ｒ３、Ｒ４は、中間部で交差する。
【００２７】
３列目に配置される第５リード線Ｒ５は、その一端側が１行３列目の第１挿入部Ｉ１３に挿入され、他端側が２行３列目の第２挿入部Ｃ２３に挿入されている。また、３列目に配置される第６リード線Ｒ６は、その一端側が２行３列目の第１挿入部Ｉ２３に挿入され、他端側が１行３列目の第２挿入部Ｃ１３に挿入されている。これにより、３列目の一対のリード線Ｒ５、Ｒ６は、中間部で交差する
なお、図１、図２には、各列毎のリード線が交差する方向を、交差方向Ｘとして矢印で示している。また、交差方向Ｘおよびインジェクタ１の軸線に対して直交する方向を、非交差方向Ｙとして矢印で示している。
【００２８】
上記構成になるインジェクタ１は、各列毎の一対のリード線の交差方向Ｘにリード線３を曲げた場合に、図３に示すように、各リード線３の曲げＲがほぼ等しくなり、しかもその曲げＲは比較的大きくなるため、リード線３を容易に曲げることができる。
【００２９】
また、各リード線３の復元力がほぼ等しくなるため、すなわち、復元力のバランスがよくなるため、リード線３の捩れが発生しにくく、しかも非交差方向Ｙには曲げにくいため、リード線１３の曲げ方向を維持し易い。
【００３０】
なお、２つの部品間を２本のリード線３にて接続する場合は、リード線３を曲げにくいという問題は発生しない。したがって、本実施形態に係る電気配線構造は、２つの部品間を接続するリード線３を少なくとも４本用いる場合に有効である。この場合は、第１挿入部１５および第２挿入部２１は２行ｊ列（但し、２≦ｊ）に配置する。
【００３１】
（第２実施形態）
本発明の第２実施形態について説明する。図４は第２実施形態に係る電気配線構造を採用したインジェクタの図、図５（ａ）は図４のインジェクタにおける第１挿入部の配置を示す模式的な図、図５（ｂ）は図４のコネクタにおける第２挿入部の配置を示す模式的な図、図６は図４のインジェクタの使用状態を示す正面図である。なお、図５（ａ）および図５（ｂ）は、いずれも図４の紙面上方から見た図（すなわち、平面図）である。以下、第１実施形態と異なる部分についてのみ説明する。
【００３２】
図５（ａ）に示すように、インジェクタ１の第１挿入部１５は３行２列に配置されている。なお、図５（ａ）中、６個の第１挿入部１５を個々にＩｉｊで表し、ｉは行番号、ｊは列番号を表す。
【００３３】
図５（ｂ）に示すように、コネクタ２の第２挿入部２１は３行２列に配置されている。なお、図５（ｂ）中、６個の第２挿入部２１を個々にＣｉｊで表し、ｉは行番号、ｊは列番号を表す。
【００３４】
図４、図５において、６本のリード線３は各列毎に３本ずつ配置される。そして、１列目に配置される第１リード線Ｒ１は、その一端側が１行１列目の第１挿入部Ｉ１１に挿入され、他端側が３行１列目の第２挿入部Ｃ３１に挿入されている。また、１列目に配置される第２リード線Ｒ２は、その一端側が２行１列目の第１挿入部Ｉ２１に挿入され、他端側が２行１列目の第２挿入部Ｃ２１に挿入されている。さらに、１列目に配置される第３リード線Ｒ３は、その一端側が３行１列目の第１挿入部Ｉ３１に挿入され、他端側が１行１列目の第２挿入部Ｃ１１に挿入されている。これにより、１列目に配置された３本のリード線Ｒ１〜Ｒ３は、中間部で交差する（図４参照）。
【００３５】
ここで、１行１列目の第１挿入部Ｉ１１に挿入された第１リード線Ｒ１と、３行１列目の第１挿入部Ｉ３１に挿入された第３リード線Ｒ３は、長さが等しくなっている。また、第１リード線Ｒ１および第３リード線Ｒ３は、２行１列目の第１挿入部Ｉ２１に挿入された第２リード線Ｒ２よりも長くなっている。これにより、第２リード線Ｒ２が直線状に延ばされた状態では、非交差方向Ｙに沿ってみたときに、第１リード線Ｒ１と第３リード線Ｒ３は略Ｘ字状に交差している（図４参照）。
【００３６】
また、２列目に配置される第４〜第６リード線（図示せず）も、１列目に配置される第１〜第３リード線Ｒ１〜Ｒ３と同様に構成されている。すなわち、第４リード線は、その一端側が１行２列目の第１挿入部Ｉ１２に挿入され、他端側が３行２列目の第２挿入部Ｃ３２に挿入されている。第５リード線は、その一端側が２行２列目の第１挿入部Ｉ２２に挿入され、他端側が２行２列目の第２挿入部Ｃ２２に挿入されている。第６リード線は、その一端側が３行２列目の第１挿入部Ｉ３２に挿入され、他端側が１行２列目の第２挿入部Ｃ１２に挿入されている。さらに、第４リード線と第６リード線は、長さが等しくなっている。また、第４リード線と第６リード線は、第５リード線よりも長くなっている。
【００３７】
上記構成になるインジェクタ１は、各列毎の３本のリード線の交差方向Ｘにリード線３を曲げた場合に、図６に示すように、各リード線３の曲げＲがほぼ等しくなり、しかもその曲げＲは比較的大きくなるため、リード線３を容易に曲げることができる。
【００３８】
また、各リード線３の復元力がほぼ等しくなるため、すなわち、復元力のバランスがよくなるため、リード線３の捩れが発生しにくく、しかも非交差方向Ｙには曲げにくいため、リード線１３の曲げ方向を維持し易い。
【００３９】
（他の実施形態）
上記実施形態では、本発明をインジェクタに適用したが、本発明はインジェクタ以外にも適用することができる。
【符号の説明】
【００４０】
１    インジェクタ（第１部品）
２    コネクタ（第２部品）
３    リード線
１５  第１挿入部
２１  第２挿入部
【図１】
0005494452.tif 000002
【図２】
0005494452.tif 000003
【図３】
0005494452.tif 000004
【図４】
0005494452.tif 000005
【図５】
0005494452.tif 000006
【図６】
0005494452.tif 000007
【図７】
0005494452.tif 000008
【図８】
0005494452.tif 000009